(57)【要約】      （修正有）【課題】デジタル導電率測定システムをキャリブレートするシステム及び方法を提供する。【解決手段】Ｙコネクタ２０は、センサ４と、送信機８との間に介在される。既知の値を有する選択可能な抵抗器を有するキャリブレーター２８は、Ｙコネクタ２０に取り付けられる。センサ４は、選択された抵抗器のために未処理の抵抗値を測定する。次に、デジタル導電率温度測定システム２は、キャリブレーションファクタを計算するために未処理の抵抗値を抵抗器の既知の値と比較する。【選択図】図２
2012027027.tif 000002
【特許請求の範囲】
【請求項１】
測定回路及び少なくとも一対の電極を有するセンサと電気的連通した送信機を備えるデジタル導電率測定システムのための方法であって、
前記方法は、
送信機とセンサとの間にコネクタを介在することと、
既知の値の少なくとも一つの抵抗器を有するキャリブレーターをコネクタに取り付けることと、
少なくとも一つの抵抗に対して未処理の抵抗値を測定することと、
第１のキャリブレーションファクタを画定するために、少なくとも一つの抵抗器の既知の値と測定された未処理の抵抗値を比較することとを備えるデジタル導電率測定システムのための方法。
【請求項２】
請求項１記載のデジタル導電率測定システムのための方法において、
送信機は、ディスプレイとユーザーインターフェースとを含み、
前記方法は、さらに、ユーザーにキャリブレーション指示を提供するメニューをディスプレイ上に表示することを備える、デジタル導電率測定システムのための方法。
【請求項３】
ディスプレイ及びユーザーインターフェースを含む送信機と、電極を含むセンサと、温度測定デバイスと、測定回路とを有し、送信機はセンサと連通するデジタル導電率測定システムのための方法であって、
前記方法は、
少なくとも第１ポートに第１端部と第２ポートに第２端部を有するコネクタと、既知の値の少なくとも一つの抵抗器を有するキャリブレーターとを含むキャリブレーションシステムを提供することと、
電極及び温度測定デバイスを測定回路から分離することと、
センサをコネクタの第１ポートに取り付けることと、
キャリブレーターをコネクタの第２ポートに取り付けることと、
ユーザーにキャリブレーション指示を提供するメニューを送信機のディスプレイ上に表示することと、
キャリブレーターの少なくとも一つの抵抗器を選択することと、
選択されたキャリブレーターの抵抗器の既知の値を送信機に入力することと、
選択された少なくとも一つの抵抗器に対して未処理の抵抗値を測定することと、
選択された抵抗器の既知の値及び未処理の抵抗値を送信機及び／又はセンサのメモリに格納することと、
数学的キャリブレーションファクタを画定することと、
キャリブレーションファクタをメモリに格納することとを備えるデジタル導電率測定システムのための方法。
【請求項４】
請求項１乃至３のうちのいずれか一つに記載のデジタル導電率測定システムのための方法において、
キャリブレーターは、存在する各抵抗器間に選択を許容するスイッチを含むデジタル導電率測定システムのための方法。
【請求項５】
請求項１乃至４のうちのいずれか一つに記載のデジタル導電率測定システムのための方法において、
測定回路と、電極及び／又は温度測定デバイスとの間に開回路を生じるセンサスイッチを提供することを更に備えるデジタル導電率測定システムのための方法。
【請求項６】
請求項１乃至５のうちのいずれか一つに記載のデジタル導電率測定システムのための方法において、
測定回路は、少なくとも一つのサブ回路を含み、前記方法は、キャリブレーションに対して各サブ回路を分離することを更に備えるデジタル導電率測定システムのための方法。
【請求項７】
請求項６記載のデジタル導電率測定システムのための方法において、
各サブ回路に対して一連のキャリブレーションポイントを提供するために各サブ回路に対してキャリブレーションを繰り返すことを更に備えるデジタル導電率測定システムのための方法。
【請求項８】
請求項１乃至７のうちのいずれか一つに記載のデジタル導電率測定システムのための方法において、
送信機は、センサとワイヤレス通信であるデジタル導電率測定システムのための方法。
【請求項９】
請求項１乃至８のうちのいずれか一つに記載のデジタル導電率測定システムのための方法において、
電極と測定回路との間及び／又は温度測定デバイスと測定回路との間に介在されたセンサスイッチ（４２）を提供することを更に備えるデジタル導電率測定システムのための方法。
【請求項１０】
デジタル導電率測定システムをキャリブレートするためのシステムであって、
デジタル導電率測定システムは、
開回路及び測定回路に配置された少なくとも一つの電極を有するセンサと、
ユーザーにキャリブレーション指示を表示するためのディスプレイ及びユーザーインターフェースを有する送信機と、
センサ及び／又はセンサと連通する送信機のメモリデバイスとを含み、
デジタル導電率測定システムをキャリブレートするためのシステムは、
第１ポートを有する第１端部と、第２ポートを有する第２端部とを有し、第１ポートにおいてセンサに取り付けられたコネクタと、
既知の抵抗値の少なくとも一つの抵抗器を有し、第２ポートにおいてコネクタに取り付けられたキャリブレーターとを備えるデジタル導電率測定システムをキャリブレートするためのシステム。
【請求項１１】
請求項１０記載のデジタル導電率測定システムをキャリブレートするためのシステムにおいて、
送信機は、センサとワイヤレス通信するようになっているデジタル導電率測定システムをキャリブレートするためのシステム。
【請求項１２】
請求項１０記載のデジタル導電率測定システムをキャリブレートするためのシステムにおいて、
コネクタは、さらに、第２端部に第３ポートを備え、送信機は第３ポートにおいてコネクタに接続されるデジタル導電率測定システムをキャリブレートするためのシステム。
【請求項１３】
請求項１０乃至１２のうちのいずれか一つに記載のデジタル導電率測定システムをキャリブレートするためのシステムにおいて、
測定回路は少なくとも一つのサブ回路を有し、前記システムは、キャリブレーションのために各サブ回路を分離するようになっているデジタル導電率測定システムをキャリブレートするためのシステム。
【請求項１４】
請求項１０乃至１３のうちのいずれか一つに記載のデジタル導電率測定システムをキャリブレートするためのシステムにおいて、
キャリブレーターは、キャリブレーターに存在する各抵抗器間に選択を許容するスイッチを含むデジタル導電率測定システムをキャリブレートするためのシステム。
【請求項１５】
請求項１０乃至１４のうちのいずれか一つに記載のデジタル導電率測定システムをキャリブレートするためのシステムにおいて、
センサは、測定回路と連通する温度抵抗デバイスを含むデジタル導電率測定システムをキャリブレートするためのシステム。
【請求項１６】
請求項１０乃至１５のうちのいずれか一つに記載のデジタル導電率測定システムをキャリブレートするためのシステムにおいて、
測定回路と電極との間及び／又は測定回路と温度測定デバイスとの間に介在されたセンサスイッチを更に備え、センサスイッチは、作動されたときに測定回路から電極及び／又は温度測定デバイスを電気的に分離するデジタル導電率測定システムをキャリブレートするためのシステム。
【発明の詳細な説明】
【技術分野】
【０００１】
本明細書中に記載された本発明の例示的な実施形態は、概ね、流体の電気伝導度の測定に関する。より具体的には、本明細書中に記載された本発明の例示的な実施形態は、デジタル導電率測定システムのキャリブレーションに関する。
【背景技術】
【０００２】
電気伝導度の測定は、一般的に、産業プロセスの間研究室で行われ、他の環境では、化学プロセス及びイオン性不純物の測定、制御又は監視の手段として行われる。そのような測定は、１００年以上にわたって行われている。電気伝導度の測定は、イオンのｎｇ／Ｌ濃度からｋｇ／Ｌ濃度までを検出することが可能な計測器で測定されることができる監視プロセスの繊細な手段である。
【０００３】
イオンは、正味の正または負の電荷を運ぶ化学種であり、導電性の定義にある。導電率測定は、イオン濃度に比例しているものの、すべてのイオンが異なるイオンの移動度（電荷を運ぶに関する能力や効率性）があるので導電率測定は、特定の化学物質の濃度を区別することができない。しかしながら、知られている化学物質を有するよく理解されたアプリケーションのために、導電性を決定することは、イオン濃度を測定するための優れた分析工業用ツールである。マイクロエレクトロニクス、ライフサイエンス、および発電のアプリケーションで見られる高純度の水処理システムなどの他のアプリケーションでは、導電率がイオン性不純物を測定するための優れた分析ツールである。
【０００４】
典型的なアナログ導電率測定システムは、測定される流体に直接接触するセンサで構成される。典型的にＡＣ測定電子機器、読み出し又は他の視覚ディスプレイ、計測器制御機能のためのソフトウェアメニュー、及び、プログラム可能なロジックコントローラ（“ＰＬＣ”）又は産業用制御システムに使用されるデータ収集システムなどの外部デバイスに連通するための他の手段を含む、個別のマイクロ制御送信機は、導電率測定システムなどに典型的存在する。通常クイックディスコネクトを有するケーブルは、通常センサに送信機を接続するために使用される。
【０００５】
従って、典型的なアナログ導電率の測定システムはセンサ、送信機、および接続の手段で構成される。アナログの電気伝導度（または抵抗率＝１／伝導率）測定技術は、二つ（又はそれ以上）の電気的に伝導する電極に接続されたＡＣ抵抗測定回路の使用を含む。電極は、電気的に絶縁する材料で分離された、機械的に剛性及び不変幾何学的な構成で組み立てられる。電極の分離及び固定された幾何学の電極の領域は、センサの“セル定数”（“ｃｃ”）として伝統的に知られている。流体の導電率を測定するために、センサは流体に浸漬し、電極間に存在する流体の抵抗は、交流抵抗測定回路で測定される。
【０００６】
電極間の流体の抵抗は、電極間の距離に直接比例する。そのため、抵抗測定は、電極間の距離に合わせて調整または標準化する必要がある。同様に、電極間の流体の抵抗は、電極の表面積に反比例する。このように、抵抗測定は、電極の表面積に合わせて調整または標準化する必要がある。その結果、測定された抵抗は、抵抗率＝抵抗／セル定数及び導電率＝１／抵抗率に従ってセル定数＝電極／電極の表面領域の分離であるようにセル定数に対して調整されまたは標準化される。
【０００７】
それは、イオン濃度に比例する導電性である。セル定数は、他の従来の手順にしたがって決定することができる。
アナログセンサの場合、測定システムの完全なキャリブレーションは、一定の規制基準および/または適切なキャリブレーションのプラクティスを満たすために必要とされる。アナログセンサの場合は、標準のキャリブレーションのプラクティスは、測定用電子機器からセンサを切断し、既知の値を有する抵抗器を測定用電子機器に取り付け、必要に応じて、測定用電子機器を調整することである。アナログセンサの検証も同様に行うことができる。アナログセンサの場合、センサは、測定用電子機器から切断され、既知の値を有する抵抗器は、電子機器に接続される。測定電子機器の出力は、既知の値を有する抵抗器の抵抗値と比較される。比較が許容限度内であれば、キャリブレーションは必要とされない。
【０００８】
ＡＣ測定用電子機器は、通常、アナログ伝導率測定システムの送信機に配置されているので、この測定用電子機器のキャリブレーション手法が可能である。マルチポイントキャリブレーション機能が単一の回路を、目盛りを正しく調整するために採用されている場合、この手順を繰り返す必要がある。通常の場合、デザインに組み込まれた多数のＡＣ抵抗測定サブ回路である場合、この手順が再度繰り返される。これらのサブ回路は、多数の測定範囲を提供するために利用されることができる。ひとたび測定回路が確認され及び／又は調整されると、追跡可能な抵抗は切断され、センサは再び測定電極に取り付けられる。本明細書中に使用されるように、用語“追跡可能な抵抗器”は、既知の値を有する抵抗器を指す。
【０００９】
キャリブレーション処理の次のステップは、センサのセル定数を確認及び／又は調整することである。これをするために、センサは、知られている追跡可能な導電性の溶液に浸漬され、センサのセル定数は、様々な計算
新しいｃｃ＝古いｃｃ×（基準導電率）／（測定された導電率）
又は
新しいｃｃ＝（測定された抵抗値）／（基準抵抗率）
又は
新しいｃｃ＝（測定された抵抗値）＊（基準導電率）
に基づいて計算される。
【００１０】
一般的には、完全なアナログ伝導率測定システム（測定回路及びセル定数の両方）のキャリブレーションは、その後、完了する。
【発明の概要】
【発明が解決しようとする課題】
【００１１】
デジタル導電率センサは、導電率を測定するために使用される。デジタル導電率センサは、アナログ導電率センサと機能的に同等であるが、多数の利点を有する。アナログ導電率センサでは、アナログＡＣ抵抗信号は、特別な注意が払われていない限り、ケーブルの長さ、外部のノイズ、および他の手段によって容易に分解される。対照的に、デジタル導電率センサの送信機は、ＡＣ測定回路が直接センサの電極に接続されている場合を除き、アナログ導電率トランスミッタのすべての機能を備える。ケーブルはまたセンサに送信機を接続するために使用される。しかしながら、デジタル導電率測定システムの電極とＡＣ測定システムの間の小さな分離（例えば、１インチ未満（２．５４ｃｍ未満））は、アナログ伝導率測定システムと比較して有意な固有の測定上の利点だけでなく、測定範囲と精度の面で優れたパフォーマンスを提供する。デジタル導電率測定システムのＡＣ測定回路は、任意の信号を劣化させることなく長距離にわたって送信機にケーブルによって送信できるデジタル信号にすべてのアナログ信号を変換する。
【００１２】
デジタル導電率測定システムの課題の一つは、センサへのＡＣ測定回路の直接統合がセンサからの測定回路のその後の切断を禁止していることである。より具体的には、この測定回路とセンサの統合は、アナログ伝導率測定システムのキャリブレーションに関連付けられている方法で、測定回路のキャリブレーションを防止する。
【課題を解決するための手段】
【００１３】
本発明の概念の例示的な実施形態は、デジタル導電率測定システムの電子回路のための既知のキャリブレーション及び/又は検証方法論、またハードウェアまたはソフトウェアのキャリブレーションツールは、存在しないという認識に基づいている。さらに、本発明の概念の例示的な実施形態は、良好なキャリブレーションの実施に準拠すること、およびいくつかのケースでは、センサのセル定数とは別のＡＣ測定回路の薬学論キャリブレーションに応じることが必要とされる認識に基づく。従って、本明細書中に記載された例示的な実施形態は、センサのセル定数とは別のＡＣ測定回路のキャリブレーションを含む、デジタル導電率測定システムの電子回路を正確に目盛りを測定するためのシステム及び方法を提供する。
一般的に、本明細書中に記載された例示的な実施形態は、３つのポートを有するコネクタ、特に、センサとデジタル導電率測定システムの送信機との間に介在されたＹコネクタを提供する。送信機は、ケーブルでＹコネクタに接続される。センサは、ＡＣ測定回路のための電極を含む。送信機は、ディスプレイとユーザー入力を有する。また、キャリブレーターは、Ｙコネクタに接続される。キャリブレーターは、スイッチ、及び、目盛り測定される各ＡＣ測定範囲に対して既知の値を有する少なくとも一つの選択可能な抵抗器を有する。
デジタル導電率測定システムを目盛り測定（キャリブレート）するためには、開回路は、センサの電極間に作られる。開回路は、電極が乾燥することによって、または測定回路から電極を電子的に切断するセンサスイッチによって、作られる。そして、送信機は、ディスプレイを通してユーザーにキャリブレーション指示を提供する。追跡可能な抵抗器は、キャリブレーターのスイッチまたは既知の値が取り付けられた単一の抵抗器を持っているキャリブレーターを使用して選択される。ユーザーは、送信機に抵抗の既知の値を入力する。そして、ＡＣ測定回路は、選択された抵抗器の未処理の抵抗値を測定する。既知の値と測定された未処理の値は、送信機および/またはセンサの不揮発性メモリに格納され、キャリブレーションファクタは、計算されて、送信機及び／又はセンサの不揮発性メモリに格納される。これにより、サブ回路に対してキャリブレーションファクタを提供する。サブ回路に対してキャリブレーションに対してより多くのキャリブレーション値が必要とされる場合、ユーザーは、スイッチを使用して別の抵抗器を選択し、キャリブレーションステップが繰り返される。したがって、各抵抗器は様々な既知の抵抗値を有する。
多数のサブ回路を有するデジタル導電率測定システムでは、ステップは、各サブ回路の各キャリブレーション値に対して繰り返される。ひとたび全てのキャリブレーションファクタがメモリに格納されると、Ｙコネクタは取り除かれ、送信機から導くケーブルは、センサに再び取り付けられ、デジタル導電率測定システムは、作動を準備する。
【００１４】
デジタル導電率測定システムの別の構成では、センサは、抵抗温度デバイス（“ＲＴＤ”）又は他の適当な抵抗に基づいた温度測定デバイスを含む。ＡＣ測定回路の温度測定回路、サブ回路を目盛り測定するために、ＲＴＤは、測定回路とセンサとの間に介在されたセンサスイッチを使用することによって測定回路から電気的に切断される。ひとたび、ＲＴＤが測定回路から切断されると、温度のキャリブレーションモードが開始される。そして、送信機は、送信機のディスプレイを通じてユーザーにキャリブレーション指示を提供する。既知の値を有する温度抵抗器は、キャリブレーターのスイッチまたは既知の値が取り付けられた単一の抵抗器を持っているキャリブレーターを使用して選択される。それから、ユーザーは、ユーザーインターフェースを介して送信機に抵抗の値を入力できる。次に、ＡＣ測定回路の温度測定回路は、抵抗器の未処理の抵抗値を測定し、未処理の抵抗値及び既知の温度抵抗値をキャリブレーションファクタとしてメモリに格納する。より多くの温度キャリブレーションポイントが必要な場合、ユーザーは、別のキャリブレーターを取り付けるか、異なる抵抗器を選択して、キャリブレーションステップが繰り返される。
【００１５】
温度測定デバイスを有するセンサをもつデジタル導電率測定システムに対して、温度測定回路及び／又はＡＣ測定回路をキャリブレートすることができる。温度測定回路のキャリブレーションは、好ましくは、測定回路のキャリブレーションに先立って行われる。
【００１６】
また、キャリブレーションの方法およびシステムは、送信機とセンサとの間に無線通信を有するデジタル導電率測定システムで使用することができる。この構成では、コネクタは、センサとキャリブレーターとの間に介在される。電極及び／又はＲＴＤが回路から切断された後、キャリブレーションは上述のように処理される。
【００１７】
上述の方法及びシステムは、デジタル導電率測定システムの既存のキャリブレーションが正しいことを検証するために使用される。検証中、送信機は、ユーザーに一連のメニュー指示を再度表示する。そして、ユーザーは、測定された抵抗値を、既知または基準抵抗値と比較する。この場合では、調整は行われない。むしろ、比較だけがさらに調整が必要かどうかを判断するために提供される。
【００１８】
上述の機能に加えて、他の態様が、いくつかの図面にわたる同様の参照符号が同一または同等の特徴を参照する図面及び例示的な実施形態の以下の記述から容易に明らかであろう。
【図面の簡単な説明】
【００１９】
【図１】図１は、本明細書中に記載されたキャリブレーションのためのシステム及び方法の例示的な実施形態から利益を得る代表的なデジタル導電率測定システムを示す図である。
【図２】図２は、デジタル導電率測定システムのキャリブレーションのためのシステム及び方法の例示的な実施形態を示す図である。
【図３】図３は、デジタル導電率測定システムのキャリブレーションのためのシステム及び方法の例示的な実施形態を示す簡易的な回路図である。
【図４】図４は、ＲＴＤを有するデジタル導電率測定システムのキャリブレーションのためのシステム及び方法の例示的な実施形態を示す簡易的な回路図である。
【図５】図５は、本明細書中に記載されたキャリブレーションのためのシステム及び方法の例示的な実施形態から利益を得るセンサとワイヤレス通信の送信機とを有するデジタル導電率測定システムを示す図である。
【発明を実施するための形態】
【００２０】
本発明の概念が、本発明の全ての可能な実施形態がではないがいくつかの実施形態が示された添付の図面を参照にして以下により完全に記載される。図１は、明細書中に記載されたシステム及び方法の例示的な実施形態を用いて目盛りを正しく調整される（キャリブレーションされる）デジタル導電率測定システム２を概略的に示す。図示のように、このデジタル導電率測定システム２は、センサ４を含む。センサ４は、二つ（又はそれ以上）の電気導電性の電極６を備え、測定される流体に直接接触して配置されるように設計される。そのようなデジタル導電率測定システム２では、（図３に示された）ＡＣ測定回路３０は、センサ４に直接的に取り付けられ、センサ４に収容される。
【００２１】
また、マイクロプロセッサ制御送信機８が提供され、マイクロプロセッサ制御送信機８は、表示装置又はディスプレイ１０、計測器制御機能のためのソフトウェアメニュー、及び、ＰＬＣや産業用制御システムに使用されるデータ収集システムなどの外部デバイスと通信するための他の手段を有する。また、マイクロプロセッサ制御送信機８は、ユーザーインターフェース１２を有し、それによって、ユーザーは、メニューからオプションを選択し、抵抗値を入力する。用語の送信機８は、本明細書中に記載された機能を実行することができるあらゆる装置にすることができる。特に、マイクロプロセッサ制御送信機８は、コンピュータ、ＰＤＡ、スマートフォン、又は他の同様なデバイスを含むがこれらに限定されない、センサ４からのデジタル信号を受信することができるあらゆるデバイスにすることができる。ケーブル１４は、センサ４とマイクロプロセッサ制御送信機８との間に介在し、それらの通信を容易にする。ケーブル１４は、センサ４に接続する第１端部１６と、マイクロプロセッサ制御送信機８に接続する第２端部１８とを有する。ケーブル１４は、センサ４及びマイクロプロセッサ制御送信機８の双方に対するケーブル１４の容易な取り外し及び取り付けを可能にするクイックディスコネクト機能を有する。
【００２２】
回路３０と電極６との間の間隔は、小さく、好ましくは、１インチ（２．５４ｃｍ）未満である。この小さな間隔は、十分な本来の測定の利点を提供し、測定範囲及び精度の点で製造を向上する。回路３０は、全てのアナログ信号を、あらゆる信号の効率低下なしで長距離にわたってマイクロプロセッサ制御送信機８までケーブル１４によって送信できるデジタル信号に変換する。
【００２３】
図２及び図３は、デジタル導電率測定システムのための本発明のキャリブレーションシステム及び方法の例示的な実施形態を概略的に示す。図２は、本発明のキャリブレーションシステムの例示的な実施形態の構成を示す概略図を示す。図３は、本明細書中に記載されたキャリブレーションシステムの例示的な実施形態の概略回路図を提供する。
【００２４】
キャリブレーションを開始するために、最初に、送信機８が第２端部１８においてケーブル１４に接続されていることを確認される。次に、センサ４は、電極６間の開回路が生じられるように浸けられている流体から取り除かれる。次に、センサ４は、ケーブル１４の第１端部１６から切断される。センサ４に内部スイッチ４２（図４に示す）を有するデジタル導電率測定システム２では、センサスイッチ４２は、流体から電極を取り除くよりも、電極６をＡＣ測定回路３０から切断するのに使用される。
【００２５】
第１端部にある第１ポート２２と、第２端部にある第２ポート２４及び第３ポート２６とを有するＹコネクタ２０が、提供され、センサ４と送信機８との間に介在される。用語Ｙコネクタは本明細書中に使用されるが、Ｔコネクタを含むがこれに限定されない、少なくとも３つのポートを有するあらゆるコネクタがここで使用されるということを当業者に理解されるべきである。Ｙコネクタ２０は、第１ポート２２でセンサ４に取り付けられる。ケーブル１４の第１端部１６は、第２ポート２４においてＹコネクタ２０の第１端部に取り付けられる。キャリブレーター２８は、第３ポート２６においてＹコネクタ２０の第２端部に取り付けられる。キャリブレーター２８は、追跡可能な抵抗器を含むデバイスである。他の例示的な実施形態では、キャリブレーター２８は、追跡可能な抵抗器の堆積を含み、それに提供されたスイッチ３２は、目盛り測定される回路に接続された個々の抵抗器を選択するのに使用される。本明細書中で使用されるように、用語“抵抗器”は、電気模擬抵抗器及びスイッチコンデンサーを含むがこれらに限定されない、抵抗器又はその機能的等価物を意味するために使用される。
【００２６】
Ｙコネクタ２０は、キャリブレーター２８からＡＣ測定回路３０（図３参照）までの選択された距離を接続する。ＡＣ測定回路３０は、二組の信号ピン３６を有する。一組は、電極６に接続されるが、他の組は、キャリブレーター２８の選択された抵抗器に接続するＳＩＧ＋出力及びＳＩＧ−出力に接続される。いくつかの例示的な実施形態では、センサ４は、キャリブレーター２８の一つ又は複数の抵抗器をＡＣ測定回路３０に接続する手段を提供する余分なコネクタを有する。いくつかの例示的な実施形態では、Ｙコネクタ２０は、少なくとも一つのシールド抵抗器３８を有する。シールド抵抗器３８は、キャリブレーション処理中の電気ノイズを低減する。
【００２７】
図２に示された構成では、ＡＣ測定回路３０は、センサ電極６及びキャリブレーター２８の一つ又は複数の抵抗器に並列に接続される。センサ電極６が乾燥している場合は、電極６間に開回路抵抗がある。従って、測定された抵抗は、キャリブレーター２８の選択された抵抗器の抵抗と等しい。
【００２８】
ひとたび、キャリブレーションシステムが適当に接続されると、送信機のディスプレイ１０は、キャリブレーション機能を選択するようにユーザーに指示する。他の例示的実施形態では、送信機８は、Ｙコネクタ２０及びキャリブレーター２８への接続がなされた後に自動的にキャリブレーションモードに入る。デジタル導電率測定システム２を目盛り測定するために、送信機８のメニュー駆動ソフトウェアは、ユーザーに名目であるが既知の値の抵抗器Ｒ１refを選択するように指示する。ユーザーは、キャリブレーター２８のスイッチ３２を介して、あるいは、対応する周知の値をもつ単一の抵抗器Ｒ１refを有するキャリブレーターを取り付けることによって、抵抗器Ｒ１refを選択する。キャリブレーター２８内の抵抗器の数値は、目盛り測定されるサブ回路の動作範囲内になるように選択される。
【００２９】
完全な測定回路３０には多数のサブ回路がある。第１のサブ回路Ｃ１は選択され、送信機のファームウェア及びセンサは、回路３０にサブ回路Ｃ１使用して測定させる。次に、抵抗器Ｒ１refの追跡可能な値は、ユーザーインターフェース１２を使用することによって送信機８に入力される。測定回路３０は、選択されたサブ回路Ｃ１を使用して未処理の抵抗値Ｒ１measを測定し報告する。二つの抵抗値Ｒ１refとＲ１measは、送信機８及び／又はセンサ４のメモリに格納される。
【００３０】
デジタル導電率測定システムを適当に目盛り測定するためには、各サブ回路に対して複数のキャリブレーション値を使用する必要がある。多数のキャリブレーション値が必要とされる場合、送信機８のメニュー駆動ソフトウェアは、ユーザーにスイッチ３２を介して
キャリブレーター２８の第２の抵抗器Ｒ２refを選択するように指示する。キャリブレーター２８が単一の追跡可能な抵抗器だけを含む例示的な実施形態では、キャリブレーター２８は、Ｒ２refに対応する知られた値を有する抵抗器が使用される。デジタル導電率測定システム２のファームウェアは、測定回路３０をサブ回路Ｃ１に残存させる。次に、ユーザーは、抵抗器Ｒ２refの新しい追跡可能な値を入力し、測定回路３０は、サブ回路Ｃ１を使用して、未処理の抵抗器Ｒ２measを測定し報告する。その二つの抵抗値Ｒ２refとＲ２measは、送信機８及び／又はセンサ４のメモリに格納される。これらのステップは、サブ回路Ｃ１に必要とされる多くのキャリブレーション値に対して繰り返される。次に、デジタル導電率測定システム２は、キャリブレーションファクタを数学的に画定し、センサ４及び／又は送信機８の不揮発性メモリにそのキャリブレーションファクタを格納する。これは、ＡＣ測定回路３０の完全なキャリブレーションをために必要とされる、存在する各サブ回路Ｃ２、Ｃ３、Ｃ４・・・Ｃｎに対して繰り返される。
【００３１】
デジタル導電率測定システム２のキャリブレーションが完了した後、Ｙコネクタ２０は、センサ４及びケーブル１４から切断され、センサ４は、ケーブル１４に再度取り付けられる。デジタル導電率測定システム２が再度組み合わされた後、動作を再開する準備ができる。また、上記システム及び方法は、回路の精度を検証するために利用されることができる。同様のメニュー駆動ソフトウェアを使用して、既知または基準抵抗値と測定された抵抗値を比較する。この場合では、調整がなく、さらに調整が必要かどうかを判断する比較だけである。
【００３２】
図４は、センサ４が電極６及び温度測定デバイスとしてのＲＴＤ４０を含むデジタル導電率測定システムのための本発明のキャリブレーションシステムおよび方法の例示的な実施形態を概略的に示す。図４に示されるように、電極６及びＲＴＤ４０は、温度測定回路を含むＡＣ測定回路３０と電気的に連通する。ＡＣ測定回路３０は、Ｙコネクタ２０によってキャリブレーター２８に接続される。デジタル導電率測定システム２の他の構成と同様に、センサ電極６が乾燥している場合には、電極６間に開回路抵抗がある。従って、測定された抵抗は、選択された抵抗器の抵抗と等しく、ＡＣ測定回路３０は、上述したようにキャリブレーションされる。
【００３３】
以下により詳細に説明されるように、（図４に示された）オプションセンサスイッチ４２を有するデジタル導電率測定システム２の構成は、測定される流体から電極６を取り除く必要なしに本明細書中に記載されたシステム及び方法を使用して目盛り測定される。センサスイッチ４２は、本明細書中に記載されたキャリブレーションシステム及び方法のあらゆる例示的な実施形態と組み合わせて使用できることを当業者によって理解されるべきである。
【００３４】
図４に示されるように、測定回路３０は、電極６及びＲＴＤ４０を含むセンサ４に接続され、キャリブレーター２８に接続される。キャリブレーター２８は、既知の値を有する単一の抵抗器を含む。他の例示的な実施形態では、キャリブレーター２８は、スイッチ３２を使用して個々に選択可能な既知の値を有する複数の抵抗器を含む。ＲＴＤ４０を有するデジタル導電率測定システムでは、ＲＴＤ４０を目盛り測定するための少なくとも一つの抵抗器を有する。
【００３５】
オプションセンサスイッチ４２を有するデジタル導電率測定システム２では、センサスイッチ４２は、センサ４と測定回路３０との間に介在される。センサスイッチ４２は、測定回路３０と一体にされることができ、又は、測定回路３０とセンサ４との間に直線状に配置されることができる。センサスイッチ４２は、キャリブレーションのための回路から電極６及びＲＴＤ４０を取り除くのに使用される。ひとたび、電極６が回路から取り除かれると、上述したように測定回路３０のキャリブレーションが処理される。同様に、ＲＴＤ４０のための温度測定回路のキャリブレーションもまたひとたび回路から切断されると目盛り測定される。
【００３６】
導電率のキャリブレーションと同様に、送信機のディスプレイ１０は、ユーザーに温度のキャリブレーション機能を選択するように指示する。他の例示的な実施形態では、送信機８は、キャリブレーション２８が回路に配置された後に温度キャリブレーションモードに入る。デジタル導電率測定システム２の温度特徴を目盛り測定するために、送信機８のメニュー駆動ソフトウェアは、ユーザーに既知の値を有するＲＴＤ４０を目盛り測定するための抵抗器Ｒ１refを選択するように指示する。ユーザーは、キャリブレーター２８のスイッチ３２を介して抵抗器Ｒ１Ｔrefを選択する。単一の抵抗器を有するキャリブレーター２８を使用する例示的な実施形態では、ユーザーは、ＲＴＤ４０を目盛り測定するための抵抗器Ｒ１refを有するキャリブレーター２８を取り付けることができる。抵抗器が回路に配置された後、温度抵抗値Ｒ１Ｔrefは、ユーザーインターフェース１２を使用することによって送信機８に入力される。測定回路３０は、未処理の温度抵抗値Ｒ１Ｔmeasを測定し報告する。二つの温度抵抗値Ｒ１ＴrefとＲ１Ｔmeasは、温度キャリブレーション値として送信機８及び／又はセンサ４のメモリに格納される。
【００３７】
測定回路３０の温度測定回路を適当に目盛り測定するためには、対して複数のキャリブレーション値を使用する必要がある。多数のキャリブレーション値が必要とされる場合、送信機８のメニュー駆動ソフトウェアは、ユーザーに既知の値を有する第二の抵抗器を選択するように指示する。異なる既知の値を有する抵抗器は、異なるキャリブレーター２８を取り付けることによって、あるいは、スイッチ３２を使用して新しい抵抗器を選択することによって取り付けられる。二つの温度抵抗値Ｒ１ＴrefとＲ１Ｔmeasは、第２の温度キャリブレーション値として送信機８及び／又はセンサ４のメモリに格納される。これは、測定回路３０の温度測定回路が目盛り測定されるまで必要に応じて繰り返される。
【００３８】
デジタル導電率測定システム５０の他の構成は、図５に示されるように、センサ４と送信機８との間で無線通信を有することができる。ワイヤレスデジタル導電率測定システム５０を目盛り測定するために、コネクタ５２は、センサ４とキャリブレーター２８との間に介在される。ひとたび電極６が、電極を乾燥するのを許容することによって、あるいはスイッチ４２を使用することによって回路から取り除かれると、ワイヤレスデジタル導電率測定システム５０のキャリブレーションが上述のように処理される。また、ワイヤレスデジタル導電率測定システム５０は、ＲＴＤ４０を含む。ひとたびＲＴＤ４０がセンサスイッチ４２を使用して回路から切断されると、ＲＴＤ４０のための測定回路のキャリブレーションもまた上述のように処理される。
【００３９】
本明細書中に記載されたキャリブレーション処理を通じてユーザーを案内するために、送信機８及び／又はセンサ４は、あらかじめプログラムされることができる。プログラミングは、ディスプレイ化されたユーザーの指示を含み、抵抗器の値を入力させる。さらに、プログラミングは、各サブ回路及び多数のサブ回路に対して必要な多数のキャリブレーションの値を画定するためにハードウェアの詳細を含む。多数のサブ回路は、自動的に選択されるか、ユーザーによって摺動的に入力される。また、プログラミングは、追加のサブ回路のキャリブレーションがデジタル導電率測定システムの適当なキャリブレーションを確実にするのを許容する前に特定のサブ回路の全てのキャリブレーション値をキャリブレーションする。このプログラミングは、センサ４及び／又は送信機８の不揮発性メモリに格納されるか、異なる送信機８、キャリブレーター２８及びセンサ８に適応するためにアップグレードされることができる。
【００４０】
本発明は、特定の例示的な実施形態を提示して説明したが、多数の変形が本発明の知見に基づいて、例えば、個々の実施形態の例の特徴を互いに組み合わせることによって及び／又は実施形態間の個々の機能ユニットを相互入れ替えすることによって、作られることができるということが明白である。
【図１】
2012027027.tif 000003
【図２】
2012027027.tif 000004
【図３】
2012027027.tif 000005
【図４】
2012027027.tif 000006
【図５】
2012027027.tif 000007
【外国語明細書】
2012027027000001.pdf